(57)【特許請求の範囲】
【請求項１】
スプロケット及びチェーン案内板の周囲に巻回された無端状のチェーンの張り具合を調整するために、前記チェーン案内板に係合されると共にチェーン張り方向へ付勢部材によって付勢されている張り具合調整部材を備え、前記チェーン案内板をチェーンソー本体に締め付け固定する締結部材を緩めることにより、前記付勢部材によって前記張り具合調整部材を介して前記チェーン案内板を前記チェーン張り方向に移動せしめる様に構成されているチェーン張り具合調整装置であって、前記張り具合調整部材が、前記チェーン案内板の中心軸に沿って伸びるガイドロッドに軸方向スライド可能に取り付けられると共にコイルバネによってチェーン張り方向に付勢された状態となっているスライド部材の裏面側に飛び出す様に備えられている円柱状の突起を、前記チェーン案内板に形成された円孔に嵌合させることによって構成されると共に、さらに、以下の構成を採用したことを特徴とするチェーン張り具合調整装置。
（１）前記張り具合調整部材は、前記チェーン案内板を前記チェーンソー本体との間に挟み付けて締め付け固定するアジャストベースの裏面側に組み付けられていること。
（２）前記アジャストベースは、上カバーとは別体の部品として構成され、前記スプロケットより前端側の前記上カバーの内部空間に収納される大きさであること。
（３）前記アジャストベースの裏面側の中心軸上には、前記チェーン案内板の中心軸上に設けられた長孔を２箇所でガイドするガイド部材の先端が嵌合する嵌合孔が形成されていること。
（４）前記アジャストベースの裏面側には、前記ガイドロッドとして、２本のガイドロッドが、当該アジャストベースの中心軸に対称となる様に平行に取り付けられ、該各ガイドロッドに対して、前記スライド部材及び前記コイルバネが組み付けられていること。
（５）前記スライド部材は、前記アジャストベースの裏面側に形成された溝により、軸方向の移動範囲が規制されていること。
（６）前記スライド部材の前記円柱状の突起は、前記チェーン案内板の中心軸を挟んで対称な位置に形成された２つの円孔のそれぞれに嵌合すると共に、当該チェーン案内板の裏面側に飛び出し、前記チェーンソー本体に設けられた長円形状の溝に収納される状態に組み付けられること。
【発明の詳細な説明】
【０００１】
【発明の属する技術分野】
本発明は、チェーンソーのチェーン張り具合調整装置に関するものである。
【０００２】
【従来の技術】
従来、実開昭６１−９３２０１号公報に記載される様に、スプロケットおよびチェーン案内板の周囲に巻回された無端状のチェーンを張設するチェーン張り装置において、前記チェーンの張り方向に沿って配置され、その一端が前記チェーン案内板に係合されたロッド部材と、前記ロッド部材を前記チェーンの張り方向へ付勢する付勢部材とを具備してなるチェーン張り装置が知られている。
【０００３】
この従来のチェーン張り装置によれば、チェーン案内板をチェーンソー本体に対して固定している固定ネジを緩めることにより、付勢部材でロッド部材を付勢して、チェーン案内板をチェーン張り方向に移動させることによってチェーンの張り具合を自動的に調節することができる。
【０００４】
【発明が解決しようとする課題】
しかし、上記従来のチェーン張り装置は、チェーン案内板の長手方向の中心軸の下方に上述のロッド部材を係合させており、チェーンの張り具合を調整する際に、チェーン案内板を回転させようとする力が作用し、チェーン案内板が円滑に動かなかったり、張り具合調節後のチェーン案内板のチェーンソー本体に対する傾斜角が変化してしまうという問題がある。
【０００５】
そこで、本発明は、チェーンソーにおいてチェーンの張り具合を自動的に円滑に調節することができる様にすると共に、かかる調節を行ったときにチェーン案内板のチェーンソー本体に対する傾斜角が変化しない様にすることを目的とする。
【０００６】
【課題を解決するための手段】
かかる目的を達成するためになされた本発明のチェーン張り具合調整装置は、スプロケット及びチェーン案内板の周囲に巻回された無端状のチェーンの張り具合を調整するために、前記チェーン案内板に係合されると共にチェーン張り方向へ付勢部材によって付勢されている張り具合調整部材を備え、前記チェーン案内板をチェーンソー本体に締め付け固定する締結部材を緩めることにより、前記付勢部材によって前記張り具合調整部材を介して前記チェーン案内板を前記チェーン張り方向に移動せしめる様に構成されているチェーン張り具合調整装置であって、前記張り具合調整部材が、前記チェーン案内板の中心軸に沿って伸びるガイドロッドに軸方向スライド可能に取り付けられると共にコイルバネによってチェーン張り方向に付勢された状態となっているスライド部材の裏面側に飛び出す様に備えられている円柱状の突起を、前記チェーン案内板に形成された円孔に嵌合させることによって構成されると共に、さらに、以下の構成を採用したことを特徴とする。
（１）前記張り具合調整部材は、前記チェーン案内板を前記チェーンソー本体との間に挟み付けて締め付け固定するアジャストベースの裏面側に組み付けられていること。
（２）前記アジャストベースは、上カバーとは別体の部品として構成され、前記スプロケットより前端側の前記上カバーの内部空間に収納される大きさであること。
（３）前記アジャストベースの裏面側の中心軸上には、前記チェーン案内板の中心軸上に設けられた長孔を２箇所でガイドするガイド部材の先端が嵌合する嵌合孔が形成されていること。
（４）前記アジャストベースの裏面側には、前記ガイドロッドとして、２本のガイドロッドが、当該アジャストベースの中心軸に対称となる様に平行に取り付けられ、該各ガイドロッドに対して、前記スライド部材及び前記コイルバネが組み付けられていること。
（５）前記スライド部材は、前記アジャストベースの裏面側に形成された溝により、軸方向の移動範囲が規制されていること。
（６）前記スライド部材の前記円柱状の突起は、前記チェーン案内板の中心軸を挟んで対称な位置に形成された２つの円孔のそれぞれに嵌合すると共に、当該チェーン案内板の裏面側に飛び出し、前記チェーンソー本体に設けられた長円形状の溝に収納される状態に組み付けられること。
【０００７】
このチェーン張り具合調整装置によれば、締結部材を緩めることにより、対になって設けられている張り具合調整部材がその付勢部材によって共にチェーン張り方向に移動される。そして、これらの張り具合調整部材は、チェーン案内板の中心軸を挟んで対になって設けられているので、チェーン案内板は、その中心軸の下方と上方の両側を付勢され、チェーン張り方向へほぼ真っ直ぐに移動させられる。よって、チェーン案内板が円滑に動くとともに、チェーンソー本体に対して傾いてしまうということがない。
【０００９】
【発明の実施の形態】
次に、本発明の一実施の形態について説明する。実施の形態のチェーンソー１は、図１に示す様に、チェーンソー本体１１と、このチェーンソー本体１１に取り付けられ内蔵されているモータによって回転されるスプロケット１３と、このスプロケット１３の前方に、アジャストベース３０によってチェーンソー本体１１との間に挟み付けられる様に取り付けられるチェーン案内板１５と、スプロケット１３及びチェーン案内板１５の周囲に巻回されるチェーン１７と、アジャストベース３０をチェーンソー本体１１に押し付ける様に締め付け固定する六角孔付きボルト１９とを備えている。この六角孔付きボルト１９は、チェーン案内板１５の長手方向の中心軸上に設けられている。
【００１０】
また、チェーン案内板１５には、図１〜図３に示す様に、その長手方向の中心軸上にチェーン張り方向への移動を可能にする長孔２１が形成されると共に、図２に示す様に、中心軸を挟んで対称となる位置に、円孔２３，２３が形成されている。この長孔２１は、図３に示す様に、チェーンソー本体１１に固定されたガイド部材２５，２７によって２箇所でガイドされている。また、先端側のガイド部材２５には、六角孔付きボルト１９を螺合するための雌ネジ２９が設けられている。さらに、アジャストベース３０には、これらのガイド部材２５，２７の先端が嵌合する嵌合穴３１，３３が形成されている。また、六角孔付きボルト１９は、チェーンソー本体１１の正面にネジ止め固定される正面カバー３に形成した円形の開口５を介して六角棒スパナで締め付けたり緩めたりすることができる様になっている。そして、チェーン案内板１５は、この六角孔付きボルト１９を締め付けることにより、アジャストベース３０とチェーンソー本体１１との間にしっかりと挟み付けられ固定される構造となっている。
【００１１】
さらに、アジャストベース３０の裏面側には、図４，図５に示す様に、その中心軸に対称となる様に、２本のガイドロッド３５，３５が取り付けられている。そして、このガイドロッド３５，３５に対して、スライド部材３７，３７が軸方向スライド可能に取り付けられている。このスライド部材３７，３７は、アジャストベース３０の裏面側に飛び出す円柱状の突起３９，３９を備えると共に、ガイドロッド３５，３５に外嵌されたコイルバネ４１，４１によってチェーン張り方向に付勢された状態となっている。なお、アジャストベース３０の裏面には、このスライド部材３７，３７の軸方向の移動を許容すると共にその移動範囲を規制する溝４３，４３が設けられている。そして、スライド部材３７，３７の突起３９，３９は、図４に示す様に、チェーン案内板１５の円孔２３，２３にそれぞれ嵌合されている。また、チェーンソー本体１１には、このスライド部材３７，３７の突起３９，３９を軸方向スライド可能に収納する長円形状の溝４５が設けられている。
【００１２】
以上の様な構成を採用した結果、本実施の形態のチェーンソー１においてチェーン１７が緩んだときは、次の様にしてチェーン１７の張り具合を適切な状態に調整することができる。即ち、六角孔付きボルト１９を緩めてやると、チェーン案内板１５に対する締め付け力が弱まり、チェーン１７の緩みに対応してコイルバネ４１，４１がチェーン張り方向へとスライド部材３７，３７を押し出し、これに伴って、チェーン案内板１５がチェーン張り方向に移動され、チェーン１７は適切な張り具合に調整されるのである。その後、六角孔付きボルト１９を再度締め付けてやればチェーン案内板１５は、チェーン１７を適切な張り具合に張った状態でチェーンソー本体１１に固定される。このとき、本実施の形態では、張り具合調節部材としてのスライド部材３７，３７をチェーン案内板１５の長手方向の中心軸に対して対称な位置において当該中心軸に平行なガイドロッド３５，３５に沿って移動し得る一対の構成としてあるので、チェーン案内板１５は中心軸に平行にチェーン張り方向に移動される。従って、本実施の形態のチェーンソー１では、六角孔付きボルト１９を緩めるだけで、チェーン案内板１５がチェーンソー本体１１に対して傾斜角を変えることなくチェーン１７の張り具合を適切な状態とする様に自動的に円滑に調節することができる。
【００１３】
以上、本発明の一実施の形態について説明したが、本発明はこの実施の形態に限られるものではなく、その要旨を逸脱しない範囲内においてさらに種々の形態を採用することができることはもちろんである。
【００１４】
【発明の効果】
以上説明した様に、本発明によれば、チェーンソーにおいてチェーンの張り具合を自動的に円滑に調節することができる様にすると共に、かかる調節を行ったときにチェーン案内板のチェーンソー本体に対する傾斜角が変化しない様にすることができる。
【図面の簡単な説明】
【図１】  実施の形態のチェーンソーの正面カバーを一部破断して示す正面図である。
【図２】  実施の形態のチェーンソーの要部を拡大して示す正面図である。
【図３】  図２のＸ−Ｘ断面図である。
【図４】  図２のＹ−Ｙ断面図である。
【図５】  実施の形態において用いるアジャストベースを示し、（Ａ）はその裏面から見た図、（Ｂ）は（Ａ）のＺ−Ｚ断面図である。
【符号の説明】
１・・・チェーンソー、３・・・正面カバー、５・・・開口、１１・・・チェーンソー本体、１３・・・スプロケット、１５・・・チェーン案内板、１７・・・チェーン、１９・・・六角孔付きボルト、２１・・・長孔、２３・・・円孔、２５，２７・・・ガイド部材、２９・・・雌ネジ、３０・・・アジャストベース、３１，３３・・・嵌合穴、３５・・・ガイドロッド、３７・・・スライド部材、３９・・・突起、４１・・・コイルバネ、４３・・・溝、４５・・・溝。
【図１】
0003948125.tif 000002
【図２】
0003948125.tif 000003
【図３】
0003948125.tif 000004
【図４】
0003948125.tif 000005
【図５】
0003948125.tif 000006